(57)【要約】【課題】ユーザが携帯する電子機器との自動的な通信に基づいて空調設定を行いつつ、エコ活動を推進できるシステムおよび方法を提供すること。【解決手段】空調システム１は、電波を継続的に発信して互いに通信相手を探索し通信を確立する携帯端末２０および空調機器１０を有する。空調機器１０は、携帯端末２０から希望設定温度データを受信するユーザ情報受信部１０１と、希望設定温度データに基づいて、設定温度を算出して空調設定を変更する温度設定部１０２と、設定温度と希望設定温度との差分に基づいて、所定の料率で当該ユーザに対するエコポイントを算出するエコポイント算出部１０３と、エコポイントをユーザの携帯端末２０に送信するエコポイント送信部１０４と、を備える。携帯端末２０は、空調機器１０へ希望設定温度データを送信するユーザ情報送信部２０１と、空調機器１０からエコポイントを受信するエコポイント受信部２０２と、を備える。【選択図】図４
2010048455.tif 000002
【特許請求の範囲】
【請求項１】
空調設定に伴ってエコ活動を推進させるシステムであって、
電波を継続的に発信して互いに通信相手を探索し通信を確立する通信手段を備えた、携帯電子機器および空調機器を有し、
前記空調機器は、
前記通信手段により通信が確立した前記携帯電子機器から、ユーザが希望する希望設定温度データを受信するユーザ情報受信手段と、
ユーザ情報受信手段により受信した１以上の希望設定温度データに基づいて、設定温度を算出して空調設定を変更する設定手段と、
前記設定手段により変更された設定温度と前記ユーザの希望設定温度との差分に基づいて、所定の料率に従った当該ユーザに対するエコポイントを算出する算出手段と、
前記算出手段により算出されたエコポイントを、前記ユーザの携帯電子機器に送信するポイント送信手段と、を備え、
前記携帯電子機器は、
前記通信手段により通信が確立した前記空調機器へ、ユーザが希望する希望設定温度データを送信するユーザ情報送信手段と、
前記空調機器から、前記エコポイントを受信するポイント受信手段と、を備えるシステム。
【請求項２】
前記空調機器は、前記通信手段における電波の強度を調整する調整手段をさらに備える請求項１に記載のシステム。
【請求項３】
前記ユーザ情報受信手段は、所定の時間周期で前記希望設定温度データを受信することを特徴とする請求項１または請求項２に記載のシステム。
【請求項４】
前記ユーザ情報受信手段は、空調設定に関して前記ユーザに特別配慮が必要か否かを示すデータをさらに受信し、
前記ユーザに前記特別配慮が必要であることを示すデータを受信した場合に、前記設定手段は、当該ユーザの希望した希望設定温度を優先して、前記設定温度を算出することを特徴とする請求項１から請求項３のいずれかに記載のシステム。
【請求項５】
前記空調機器は、所定の初期設定温度を記憶する記憶手段をさらに備え、
前記設定手段は、前記記憶手段により記憶された初期設定温度に比べて、空調強度が強くならない設定温度を算出することを特徴とする請求項１から請求項４のいずれかに記載のシステム。
【請求項６】
前記算出手段は、前記記憶手段により記憶された初期設定温度と、前記設定手段により算出された設定温度と、の差分に基づいて、追加のエコポイントを算出することを特徴とする請求項５に記載のシステム。
【請求項７】
前記算出手段は、前記設定手段により変更された設定温度が、変更前の設定温度に比べて空調強度が弱くなる場合に、当該変更前と変更後との差分に基づいて、通信が確立しているユーザそれぞれに対する追加のエコポイントを算出することを特徴とする請求項１から請求項６のいずれかに記載のシステム。
【請求項８】
空調設定に伴ってエコ活動を推進させる方法であって、
前記携帯電子機器および前記空調機器が電波を継続的に発信し、互いに通信相手を探索し通信を確立する通信ステップと、
前記空調機器において、
前記通信ステップにより通信が確立した前記携帯電子機器から、ユーザが希望する希望設定温度データを受信するユーザ情報受信ステップと、
ユーザ情報受信ステップにより受信した１以上の希望設定温度データに基づいて、設定温度を算出して空調設定を変更する設定ステップと、
前記設定ステップにより変更された設定温度と前記ユーザの希望設定温度との差分に基づいて、所定の料率に従った当該ユーザに対するエコポイントを算出する算出ステップと、
前記算出ステップにより算出されたエコポイントを、前記ユーザの携帯電子機器に送信するポイント送信ステップと、
前記携帯電子機器において、
前記通信ステップにより通信が確立した前記空調機器へ、ユーザが希望する希望設定温度データを送信するユーザ情報送信ステップと、
前記空調機器から、前記エコポイントを受信するポイント受信ステップと、を含む方法。
【発明の詳細な説明】
【技術分野】
【０００１】
本発明は、携帯電子機器と空調機器とが通信を行うシステムおよび方法に関する。
【背景技術】
【０００２】
従来、室内の気温を調節する空調機器では、ユーザがコントローラを操作して、希望の設定温度を指定する。そのため、ユーザが意識的に空調機器の設定を行う必要がある。そこで、この設定を自動化する試みがなされている。例えば、ユーザが携帯するＩＤカードや携帯電話等の無線通信装置からの信号に基づいて温度設定を行う方法が知られている（例えば、特許文献１および特許文献２参照）。
【０００３】
また、通信手段としては、さまざまな方式が知られている。例えば、携帯型ゲームで用いられる通信方式として、すれちがい通信（登録商標）が知られている。これは、電波を常に発信して互いに通信相手を探索し、通信相手を認識した際に短時間で少量のデータを自動的に送受信する方式である。
【特許文献１】特開２００５−２５７１２９号公報
【特許文献２】特開２００７−１３２６１６号公報
【発明の開示】
【発明が解決しようとする課題】
【０００４】
ところで、近年、エコ（環境保全）に関する人々の関心が急速に高まってきており、環境に優しいエコ商品やエコ活動が推奨されるようになってきている。このような状況では、空調機器の設定温度は、空調強度が弱くなるように（冷房の場合は高い温度、暖房の場合は低い温度に）設定されることが好ましい。
【０００５】
しかしながら、上記の特許文献１や特許文献２の方法では、予め設定された条件にしたがって自動的に温度設定がなされるものの、希望する温度設定となるに過ぎないため、エコ活動を推進することは難しかった。
【０００６】
本発明は、ユーザが携帯する電子機器との自動的な通信に基づいて空調設定を行いつつ、エコ活動を推進できるシステムおよび方法を提供することを目的とする。
【課題を解決するための手段】
【０００７】
本発明では、以下のような解決手段を提供する。
【０００８】
（１）  空調設定に伴ってエコ活動を推進させるシステムであって、
電波を継続的に発信して互いに通信相手を探索し通信を確立する通信手段を備えた、携帯電子機器および空調機器を有し、
前記空調機器は、
前記通信手段により通信が確立した前記携帯電子機器から、ユーザが希望する希望設定温度データを受信するユーザ情報受信手段と、
ユーザ情報受信手段により受信した１以上の希望設定温度データに基づいて、設定温度を算出して空調設定を変更する設定手段と、
前記設定手段により変更された設定温度と前記ユーザの希望設定温度との差分に基づいて、所定の料率に従った当該ユーザに対するエコポイントを算出する算出手段と、
前記算出手段により算出されたエコポイントを、前記ユーザの携帯電子機器に送信するポイント送信手段と、を備え、
前記携帯電子機器は、
前記通信手段により通信が確立した前記空調機器へ、ユーザが希望する希望設定温度データを送信するユーザ情報送信手段と、
前記空調機器から、前記エコポイントを受信するポイント受信手段と、を備えるシステム。
【０００９】
このような構成によれば、当該システムにおいて、空調機器と携帯電子機器とは、電波を継続的に発信して互いに通信相手を探索し通信を確立する。そして、空調機器は、通信が確立した前記携帯電子機器から、ユーザが希望する希望設定温度データを受信し、受信した１以上の希望設定温度データに基づいて、設定温度を算出して空調設定を変更し、変更された設定温度とユーザの希望設定温度との差分に基づいて、所定の料率に従った当該ユーザに対するエコポイントを算出し、算出されたエコポイントを、ユーザの携帯電子機器に送信する。
【００１０】
このことにより、ユーザが携帯する携帯電子機器に予め希望設定温度を登録しておくことにより、当該空調機器は、携帯電子機器との自動的な通信に基づいて空調設定を行うことができる。さらに、当該空調機器は、変更された設定温度とユーザの希望設定温度との差分に基づいて、所定の料率に従ったエコポイントをユーザに対して配布するので、ユーザに対してエコ活動をアピールすると共に、このエコ活動への参画の見返りを与えることができる。したがって、空調機器の管理者は、エコ活動を推進しつつ、活動実績をアピールすることができる。
【００１１】
（２）  前記空調機器は、前記通信手段における電波の強度を調整する調整手段をさらに備える（１）に記載のシステム。
【００１２】
このような構成によれば、当該システムは、通信手段における電波の強度を調整することにより、通信可能な領域を設定することができる。したがって、空調機器の制御領域内に入っているユーザの希望設定温度に基づいて、空調設定を行うことができる。
【００１３】
（３）  前記ユーザ情報受信手段は、所定の時間周期で前記希望設定温度データを受信することを特徴とする（１）または（２）に記載のシステム。
【００１４】
このような構成によれば、当該システムは、所定の時間周期でユーザの希望設定温度データを受信するので、希望設定温度の変更や制御領域内のユーザの増減等に応じて、適した設定温度に適時、調節することができる。
【００１５】
（４）  前記ユーザ情報受信手段は、空調設定に関して前記ユーザに特別配慮が必要か否かを示すデータをさらに受信し、
前記ユーザに前記特別配慮が必要であることを示すデータを受信した場合に、前記設定手段は、当該ユーザの希望した希望設定温度を優先して、前記設定温度を算出することを特徴とする（１）から（３）のいずれかに記載のシステム。
【００１６】
このような構成によれば、当該空調機器は、空調設定に関してユーザに特別配慮が必要か否かを示すデータをさらに受信し、ユーザに特別配慮が必要であることを示すデータを受信した場合に、当該ユーザの希望した希望設定温度を優先して、設定温度を算出する。このことにより、当該システムは、特別配慮が必要なユーザに対しても気を配りつつ、エコ活動を推進することができる。
【００１７】
（５）  前記空調機器は、所定の初期設定温度を記憶する記憶手段をさらに備え、
前記設定手段は、前記記憶手段により記憶された初期設定温度に比べて、空調強度が強くならない設定温度を算出することを特徴とする（１）から（４）のいずれかに記載のシステム。
【００１８】
このような構成によれば、当該空調機器は、所定の初期設定温度を記憶し、記憶された初期設定温度に比べて、空調強度が強くならない設定温度を算出する。このことにより、当該システムは、例えば冷房であれば初期設定温度以上の温度に、暖房であれば初期設定温度以下の温度になるように温度調節を行うので、ユーザの希望設定温度によらず、エコ活動を推進することができる。
【００１９】
（６）  前記算出手段は、前記記憶手段により記憶された初期設定温度と、前記設定手段により算出された設定温度と、の差分に基づいて、追加のエコポイントを算出することを特徴とする（５）に記載のシステム。
【００２０】
このような構成によれば、当該システムは、初期設定温度に比べてさらに空調強度を弱く設定したことに応じて、ユーザに対する見返りを追加で与えることができる。このことにより、ユーザの協力を得て、さらにエコ活動を推進することができる。
【００２１】
（７）  前記算出手段は、前記設定手段により変更された設定温度が、変更前の設定温度に比べて空調強度が弱くなる場合に、当該変更前と変更後との差分に基づいて、通信が確立しているユーザそれぞれに対する追加のエコポイントを算出することを特徴とする（１）から（６）のいずれかに記載のシステム。
【００２２】
このような構成によれば、当該システムは、それまでの温度に比べてさらに空調強度を弱く変更したことに応じて、空調機器の制御領域に入っているユーザに対する見返りを追加で与えることができる。このことにより、ユーザの協力を得て、さらにエコ活動を推進することができる。
【００２３】
（８）  空調設定に伴ってエコ活動を推進させる方法であって、
前記携帯電子機器および前記空調機器が電波を継続的に発信し、互いに通信相手を探索し通信を確立する通信ステップと、
前記空調機器において、
前記通信ステップにより通信が確立した前記携帯電子機器から、ユーザが希望する希望設定温度データを受信するユーザ情報受信ステップと、
ユーザ情報受信ステップにより受信した１以上の希望設定温度データに基づいて、設定温度を算出して空調設定を変更する設定ステップと、
前記設定ステップにより変更された設定温度と前記ユーザの希望設定温度との差分に基づいて、所定の料率に従った当該ユーザに対するエコポイントを算出する算出ステップと、
前記算出ステップにより算出されたエコポイントを、前記ユーザの携帯電子機器に送信するポイント送信ステップと、
前記携帯電子機器において、
前記通信ステップにより通信が確立した前記空調機器へ、ユーザが希望する希望設定温度データを送信するユーザ情報送信ステップと、
前記空調機器から、前記エコポイントを受信するポイント受信ステップと、を含む方法。
【００２４】
このような構成によれば、当該方法を実行することにより、（１）と同様の効果が期待できる。
【発明の効果】
【００２５】
本発明によれば、ユーザが携帯する電子機器との自動的な通信に基づいて空調設定を行いつつ、エコ活動を推進することができる。
【発明を実施するための最良の形態】
【００２６】
以下、本発明の実施形態について図を参照しながら説明する。
【００２７】
［システム全体構成］
図１は、本実施形態に係る空調システム１の全体構成を示す図である。空調システム１は、空調機器１０と、ユーザの携帯端末２０（携帯電子機器）（２０ａ、２０ｂ）と、が互いに無線通信を行う構成となっている。
【００２８】
この空調システム１では、空調機器１０と携帯端末２０とは、電波を継続的に発信して互いに通信相手を探索し通信を確立する、いわゆる、すれちがい通信（登録商標）が行われる。すなわち、空調機器１０の制御領域に携帯端末２０が入ってきたことにより、データの送受信が開始される。まず、携帯端末２０から空調機器１０へ希望設定温度が送信され、空調機器１０にて算出されたエコポイントが携帯端末２０へ配布される。
【００２９】
ここで、エコポイントとは、ユーザが希望した設定温度と異なる設定がなされた場合に、このユーザに対する見返りとして与えられるポイントである。例えば、冷房の設定温度が希望よりも高くなった場合には、空調強度を弱く設定するというエコ活動への協力に対して、エコポイントがユーザに配布される。暖房の設定温度が希望よりも低くなった場合も同様である。
【００３０】
［ハードウェア構成］
図２は、本実施形態に係る空調機器１０のハードウェア構成を示す図である。空調機器１０は、ＣＰＵ１１と、通信部１２およびアンテナ１３と、メモリ１４と、入力部１５と、空調制御部１６と、を備える。
【００３１】
ＣＰＵ１１は、空調機器１０を統括的に制御する部分であり、メモリ１４に記憶された各種プログラムを適宜読み出して実行することにより、上述したハードウェアと協働し、本発明に係る各種機能を実現している。
【００３２】
通信部１２は、他の電子機器との通信を行うインタフェースであり、ＣＰＵ１１からの指令に従い、アンテナ１３を介して、携帯端末２０等とデータの送受信を行う。このとき、通信部１２は、動作中は電波を継続的に発信して通信相手を探索し通信を確立する。そして、通信が確立した携帯端末２０から受信した希望設定温度をＣＰＵ１１へ渡し、ＣＰＵ１１から渡されたエコポイントを、この携帯端末２０へ送信する。
【００３３】
メモリ１４は、空調機器１０を動作させるための各種プログラム、本発明の機能を実行するプログラムおよび各種設定データ等を記憶する。設定データとは、例えば、ユーザの希望設定温度によらない初期設定温度や、現在の設定温度、エコポイントを算出するための料率等である。
【００３４】
入力部１５は、空調機器１０を動作させるために、外部からの操作入力を受け付けるインタフェースである。入力部１５は、例えば、リモコンの信号受信部等であり、受信した操作入力信号をＣＰＵ１１に処理させることにより、空調機器１０の動作や停止、手動での温度設定等が行われる。
【００３５】
空調制御部１６は、設定温度に基づくＣＰＵ１１からの制御指令に応じて、制御領域の気温を設定温度に近付けるべく、空調強度を調節する。
【００３６】
図３は、本実施形態に係る携帯端末２０のハードウェア構成を示す図である。携帯端末２０は、ＣＰＵ２１と、通信部２２およびアンテナ２３と、メモリ２４と、入力部２５と、表示部２６と、を備える。
【００３７】
ＣＰＵ２１は、携帯端末２０を統括的に制御する部分であり、メモリ２４に記憶された各種プログラムを適宜読み出して実行することにより、上述したハードウェアと協働し、本発明に係る各種機能を実現している。
【００３８】
通信部２２は、他の電子機器との通信を行うインタフェースであり、ＣＰＵ２１からの指令に従い、アンテナ２３を介して、空調機器１０等とデータの送受信を行う。このとき、通信部２２は、動作中は電波を継続的に発信して通信相手を探索し通信を確立する。そして、通信が確立した空調機器１０へ、ＣＰＵ２１から渡された希望設定温度を送信し、この空調機器１０から受信したエコポイントをＣＰＵ２１へ渡す。
【００３９】
なお、空調機器１０または携帯端末２０の発信する電波強度、あるいは受信強度は、適宜調整可能であることが好ましい。この調整により、通信可能な距離を、空調機器１０の制御領域に合わせることができるため、この制御領域内の携帯端末２０とのみ、希望設定温度およびエコポイントの送受信を行うことができる。
【００４０】
メモリ２４は、携帯端末２０を動作させるための各種プログラム、本発明の機能を実行するプログラムおよび各種設定データ等を記憶する。設定データとは、例えば、予めユーザが登録した希望設定温度や、配布されたエコポイントの積算値等である。
【００４１】
入力部２５は、携帯端末２０への操作入力を受け付けるインタフェースである。入力部１５は、例えば、キーパッドやタッチパネル等であり、ユーザからの操作入力信号ＣＰＵ２１に処理させることにより、携帯端末２０が備える各種機能が実行される。
【００４２】
表示部２６は、ＣＰＵ２１による処理結果を表示するディスプレイである。本実施形態では、特に、空調機器１０により実際に設定された温度や、配布されたエコポイント等が表示される。これにより、ユーザに対してエコ活動の実施を報知し、協力を促すことができる。
【００４３】
［機能構成］
図４は、本実施形態に係る空調機器１０および携帯端末２０の機能構成を示す図である。空調機器１０のＣＰＵ１１は、ユーザ情報受信部１０１と、温度設定部１０２と、エコポイント算出部１０３と、エコポイント送信部１０４と、を備える。また、携帯端末２０のＣＰＵ２１は、ユーザ情報送信部２０１と、エコポイント受信部２０２と、を備える。
【００４４】
ユーザ情報送信部２０１は、通信部２２により通信が確立した空調機器１０へ、この通信部２２を介して、ユーザが希望して予め登録した希望設定温度データを送信する。また、ユーザ情報送信部２０１は、空調設定（気温）に関して特別配慮が必要か否かを示す予め設定されたデータを、併せて送信する。
【００４５】
ユーザ情報受信部１０１は、通信部１２により通信が確立した携帯端末２０から、この通信部１２を介して、希望設定温度データおよび特別配慮の要否データを受信する。なお、ユーザ情報受信部１０１は、所定の周期（例えば、１０分おき）で、その時点で通信可能な（制御領域内にある）携帯端末２０から希望設定温度データを受信することとしてよい。
【００４６】
温度設定部１０２は、ユーザ情報受信部１０１により受信した１以上の希望設定温度データに基づいて、設定温度を算出して空調設定を変更する。設定温度は、例えば、希望設定温度データの平均値と初期設定温度とを比較し、あるいは、希望設定温度データの最高値と初期設定温度とを比較し、空調強度が弱い方（冷房であれば高温、暖房であれば低温）等、適宜、算出式を設定できてよい。
【００４７】
また、希望設定温度は、範囲指定がされてもよい。この場合にも、例えば、複数のユーザにより希望された範囲の中で、最も重なりが多い温度を設定温度とする等、適宜、算出ルールが設定される。
【００４８】
ここで、温度設定部１０２は、ユーザ情報受信部１０１により、ユーザに特別配慮が必要であることを示すデータを受信した場合には、このユーザが希望した希望設定温度を優先して、設定温度を算出する。なお、特別配慮が必要なユーザが複数の場合には、その中で最も空調強度が弱い（冷房の場合は高い、暖房の場合は低い）温度にする等、管理者により適宜、ルールが設定されてよい。
【００４９】
エコポイント算出部１０３は、温度設定部１０２により算出された設定温度とユーザの希望設定温度との差分に基づいて、所定の料率に従った当該ユーザに対するエコポイントを算出する。この算出のルールは適宜設定可能である。例えば、実際の設定温度が希望設定温度に比べて強度が弱い（冷房の場合は高い、暖房の場合は低い）場合、その差が大きいほど大きなエコポイント、あるいは一定のエコポイントを算出する。
【００５０】
また、エコポイント算出部１０３は、予め登録された初期設定温度と、実際の設定温度との差分に基づいて、追加のエコポイントを算出する。すなわち、初期設定温度に比べて強度が弱い（冷房の場合は高い、暖房の場合は低い）設定温度が実際に設定された場合には、さらにエコ活動が推進されたと判断し、ユーザに対する見返りとしてのエコポイントを増加させる。なお、追加のエコポイントは、差分が大きいほど大きなエコポイント、あるいは一定のエコポイントを算出することとしてよい。
【００５１】
さらに、エコポイント算出部１０３は、実際に設定変更された設定温度が、変更前の設定温度と比べて空調強度が弱く（冷房の場合は温度が高く、暖房の場合は温度が低く）なる場合に、変更前と変更後との差分に基づいて、通信が確立している携帯端末２０（ユーザ）それぞれに対する追加のエコポイントを算出する。すなわち、さらに空調強度を弱めたことにより、エコ活動へのさらなる協力への見返りとして、エコポイントを増加させる。なお、追加のエコポイントは、差分が大きいほど大きなエコポイント、あるいは一定のエコポイントを算出することとしてよい。
【００５２】
エコポイント送信部１０４は、エコポイント算出部１０３により算出されたエコポイントを、通信部１２を介して携帯端末２０へ送信する。このとき、エコポイント送信部１０４は、温度設定部１０２により実際に設定された設定温度を併せて送信することとしてよい。
【００５３】
エコポイント受信部２０２は、エコポイント送信部１０４により送信されたエコポイントおよび設定温度を、通信部２２を介して受信し、ＣＰＵ２１へ提供する。ＣＰＵ２１は、このエコポイントおよび設定温度を、表示部２６に表示させ、ユーザへ報知する。
【００５４】
［具体例１］
図５は、本実施形態に係る空調機器１０における温度設定に伴うエコポイント配布の具体例を示す図である。この例では、空調機器１０が冷房運転を行っているものとして説明する。
【００５５】
ユーザＡは、特別配慮指定はなく、希望設定温度は２６度である。また、ユーザＢは、特別配慮指定はなく、希望設定温度は２４度である。このとき、空調機器１０へ、携帯端末２０ａからは２６度の希望設定温度が送信され、携帯端末２０ｂからは２４度の希望設定温度が送信される。
【００５６】
ここで、空調機器１０は、ユーザＡおよびユーザＢの希望設定温度を考慮し、平均値の２５度を候補とするが、管理者による初期設定温度が２７度であるため、より高い温度であるデフォルトの２７度を設定温度とする。
【００５７】
続いて、空調機器１０は、希望よりも高い設定温度となったユーザＡおよびユーザＢに対して、一定のエコポイント「２ポイント」を付与し、携帯端末２０ａおよび携帯端末２０ｂへ送信する。
【００５８】
［具体例２］
図６は、本実施形態に係る特別配慮指定を考慮した空調機器１０における温度設定に伴うエコポイント配布の具体例を示す図である。この例では、図５の例に対して、さらにユーザが制御領域に入ってきた場合を説明する。
【００５９】
ユーザＣは、特別配慮指定があり、希望設定温度は２８度である。このとき、携帯端末２０ｃからは、空調機器１０へ、２８度の希望設定温度と共に特別配慮指定を示すデータが送信される。
【００６０】
ここで、空調機器１０は、特別配慮指定のユーザＣによる希望設定温度を優先し、図５の例で設定された２７度より高い２８度を設定温度とする。
【００６１】
続いて、空調機器１０は、初期設定温度２７度よりも高い温度設定となったことにより、ユーザＣに対して、一定の追加エコポイント「２ポイント」を付与し、携帯端末２０ｃへ送信する。さらに、図５の例で設定された２７度より高い温度設定となったことにより、ユーザＡおよびユーザＢに対して、一定の追加エコポイント「１ポイント」を付与し、携帯端末２０ａおよび携帯端末２０ｂへ送信する。
【００６２】
［処理フロー］
図７は、本実施形態に係る空調機器１０の処理を示すフローチャートである。この処理では、空調機器１０が冷房運転を行っているものとし、制御領域にユーザが入ってくる場合について説明する。なお、本処理は、空調機器１０が稼動して空調制御を行っている間、繰り返し実行される。
【００６３】
ステップＳ１では、ＣＰＵ１１は、通信部１２による受信状況を監視し、空調機器１０の制御領域に携帯端末２０が入ってきたか否かを判定する。この判定がＹＥＳの場合はステップＳ２に進み、判定がＮＯの場合は、ステップＳ１を繰り返す。
【００６４】
ステップＳ２では、ＣＰＵ１１は、ステップＳ１にて制御領域に入ってきたと判定した携帯端末２０から、希望設定温度および特別配慮指定の有無を示すデータを受信する。
【００６５】
ステップＳ３では、ＣＰＵ１１は、制御領域内に特別配慮が必要なユーザがいるか否か、すなわち、ステップＳ２にて特別配慮指定有り示すデータを受信しているか否かを判定する。この判定がＹＥＳの場合はステップＳ４に移り、判定がＮＯの場合はステップＳ５に移る。
【００６６】
ステップＳ４では、特別配慮が必要なユーザがいるので、ＣＰＵ１１は、このユーザの携帯端末２０に登録された希望設定温度を優先し、設定温度を決定する。なお、複数の特別配慮が必要なユーザが制御領域内に入っている場合には、これら特別配慮が必要なユーザの携帯端末２０に登録された希望設定温度のうち、最も高い温度を設定温度として決定する。
【００６７】
ステップＳ５では、特別配慮が必要なユーザがいないので、ＣＰＵ１１は、制御領域内のユーザの携帯端末２０に登録された希望設定温度の平均値により、設定候補の温度を算出する。
【００６８】
ステップＳ６では、ＣＰＵ１１は、ステップＳ５にて算出した設定候補温度が、管理者により設定されたデフォルト値（初期設定温度）未満であるか否かを判定する。この判定がＹＥＳの場合は、実際の設定温度を調整するためステップＳ７に移り、判定がＮＯの場合は、この設定候補温度を実際の設定温度として決定し、ステップＳ８に移る。
【００６９】
ステップＳ７では、ＣＰＵ１１は、エコ活動を推進するために、実際の設定温度がデフォルト値を下回らないように、デフォルト値を設定温度として決定する。
【００７０】
ステップＳ８では、ＣＰＵ１１は、ステップＳ４〜Ｓ７にて決定された設定温度を空調制御部１６に指令し、制御領域の空調制御を行う。
【００７１】
ステップＳ９では、ＣＰＵ１１は、ステップＳ８の設定温度が、ステップＳ１にて検出した携帯端末２０に登録されたユーザの希望設定温度より高いか否かを判定する。この判定がＹＥＳの場合はステップＳ１０に移り、判定がＮＯの場合はステップＳ１１に移る。
【００７２】
ステップＳ１０では、ＣＰＵ１１は、実際の設定温度が希望設定温度を上回ったことに応じて、エコ活動へのユーザの参画の見返りとして、エコポイントを算出する。
【００７３】
ステップＳ１１では、ＣＰＵ１１は、ステップＳ８の設定温度が、上記のデフォルト値より高いか否かを判定する。この判定がＹＥＳの場合はステップＳ１２に移り、判定がＮＯの場合はステップＳ１３に移る。
【００７４】
ステップＳ１２では、ＣＰＵ１１は、実際の設定温度がデフォルト値を上回ったことに応じて、さらなるエコ活動へのユーザの協力に対する見返りとして、追加のエコポイントを算出する。
【００７５】
ステップＳ１３では、ＣＰＵ１１は、ステップＳ８の空調制御を行う前後で設定温度が高く変更された否かを判定する。この判定がＹＥＳの場合はステップＳ１４に移り、判定がＮＯの場合はステップＳ１５に移る。
【００７６】
ステップＳ１４では、制御領域内に新たなユーザが増えたことにより設定温度が上昇したので、ＣＰＵ１１は、既に制御領域内にいたユーザに対して、さらなるエコ活動への協力の見返りとして、追加のエコポイントを算出する。
【００７７】
ステップＳ１５では、ＣＰＵ１１は、ステップＳ１０、Ｓ１２、およびＳ１４にて算出された各種エコポイントを、該当するユーザの携帯端末２０へ送信する。
【００７８】
以上、本処理フローでは、新たなユーザが制御領域に入ってきた場合の処理内容を説明したが、ユーザが制御領域から出ていく場合にも、同様の処理が実行される。すなわち、制御領域内に残ったユーザの希望設定温度に基づいて、実際の設定温度が決定され、上述のエコポイントおよび追加のエコポイントが算出、送信される。
【００７９】
また、制御領域内への出入りが頻繁に発生する場合に、エコポイントを過剰に配布してしまわないために、所定期間内のユーザの変動を無視することとしてもよい。例えば、所定の周期で（例えば、１０分おきに）携帯端末２０との通信を行うことにより、その時点で制御領域内にいるユーザの希望設定温度に基づいて、設定温度を調節する。その際、既存のユーザと新たなユーザを判別する（各種エコポイントの対象者を判別する）ため、携帯端末２０から空調機器１０へ、ユーザを識別するデータを送信し、空調機器１０にて、制御領域内へのユーザの出入りを記録管理することが好ましい。
【００８０】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８１】
【図１】本発明の実施形態に係る空調システム１の全体構成を示す図である。
【図２】本発明の実施形態に係る空調機器１０のハードウェア構成を示す図である。
【図３】本発明の実施形態に係る携帯端末２０のハードウェア構成を示す図である。
【図４】本発明の実施形態に係る空調機器１０および携帯端末２０の機能構成を示す図である。
【図５】本発明の実施形態に係る空調機器１０における温度設定に伴うエコポイント配布の具体例を示す図である。
【図６】本発明の実施形態に係る特別配慮指定を考慮した空調機器１０における温度設定に伴うエコポイント配布の具体例を示す図である。
【図７】本発明の実施形態に係る空調機器１０の処理を示すフローチャートである。
【符号の説明】
【００８２】
１  空調システム（システム）
１０  空調機器
１１  ＣＰＵ
１２  通信部（通信手段、調整手段）
１３  アンテナ
１４  メモリ（記憶手段）
１５  入力部
１６  空調制御部
２０、２０ａ、２０ｂ、２０ｃ  携帯端末（携帯電子機器）
２１  ＣＰＵ
２２  通信部（通信手段、調整手段）
２３  アンテナ
２４  メモリ
２５  入力部
２６  表示部
１０１  ユーザ情報受信部（ユーザ情報受信手段）
１０２  温度設定部（設定手段）
１０３  エコポイント算出部（算出手段）
１０４  エコポイント送信部（ポイント送信手段）
２０１  ユーザ情報送信部（ユーザ情報送信手段）
２０２  エコポイント受信部（ポイント受信手段）
【図１】
2010048455.tif 000003
【図２】
2010048455.tif 000004
【図３】
2010048455.tif 000005
【図４】
2010048455.tif 000006
【図５】
2010048455.tif 000007
【図６】
2010048455.tif 000008
【図７】
2010048455.tif 000009